(57)【要約】【課題】表示データが多い場合など、試験対象装置の出力が多い場合にも確実に試験結果を確認することが可能な試験装置及びその方法を提供すること。【解決手段】試験データを試験対象装置に入力して出力されるデータの表示装置に表示される状態を検知する試験装置であって、期待される表示結果である期待表示状態を示すデータを設定する期待結果設定手段と、前記試験対象装置の出力の表示データを取り込む表示データ取込手段と、この表示データ取込手段により取り込まれた表示データと前記期待結果表示設定手段により設定されたデータを比較し前記試験対象装置が正常であるか否かを判定する比較判定手段と、この比較判定手段により判定された結果を表示する結果表示手段と、を有することを特徴とする試験装置。【選択図】図１
2008070252.tif 000002
【特許請求の範囲】
【請求項１】
試験データを試験対象装置に入力して出力されるデータの表示装置に表示される状態を検知する試験装置であって、
期待される表示結果である期待表示状態を示すデータを設定する期待結果設定手段と、
前記試験対象装置の出力の表示データを取り込む表示データ取込手段と、
この表示データ取込手段により取り込まれた表示データと前記期待結果表示設定手段により設定されたデータを比較し前記試験対象装置が正常であるか否かを判定する比較判定手段と、
この比較判定手段により判定された結果を表示する結果表示手段と、
を有することを特徴とする試験装置。
【請求項２】
試験データを試験対象装置に入力して出力されるデータの表示装置に表示される表示色を検知する試験装置であって、
期待される表示結果である表示色を示すデータを設定する期待結果表示設定手段と、
前記試験対象装置の出力の表示色データを取り込む表示データ取込手段と、
この表示データ取込手段により取り込まれた表示色データと前記期待結果表示設定手段により設定された色データを比較し前記試験対象装置が正常であるか否かを判定する比較判定手段と、
この比較判定手段により判定された結果を表示する結果表示手段と、
を有することを特徴とする試験装置。
【請求項３】
前記期待結果表示手段は表示色のほかに内容も設定し、前期表示データ取込手段は表示色データのほかに内容も取り込み、前記比較判定手段は表示色データと色データの比較のほかに内容の比較も行うことを特徴とする請求項２記載の試験装置。
【請求項４】
試験データを試験対象装置に入力して出力されるデータの表示装置に表示される状態を検知する試験方法であって、
期待される表示結果である期待表示状態を示すデータを設定する期待結果設定ステップと、
前記試験対象装置の出力の表示データを取り込む表示データ取込ステップと、
この表示データ取込ステップにより取り込まれた表示データと前記期待結果表示設定ステップにより設定されたデータを比較し前記試験対象装置が正常であるか否かを判定する比較判定ステップと、
この比較判定ステップにより判定された結果を表示する結果表示ステップと、
を有することを特徴とする試験方法。
【発明の詳細な説明】
【技術分野】
【０００１】
本発明は、試験データを試験対象装置に入れて正常か否かを判定する試験装置及びその方法に関する。
【背景技術】
【０００２】
一般に、試験対象となる装置が正常に作動しているか調べるためには、種々のデータをこの試験装置に入力し出力を見て判断する。従来、このような場合には、試験装置の出力に接続された表示装置の表示画面上に表示される表示データを人間が肉眼で見ることにより、試験装置の良否を確認判定していた。
【０００３】
しかし、航空機の飛行状況を画面上に表示する装置などを試験する場合など、一画面上の表示データが多数の場合や画面枚数が多い場合に、人間が確認するには膨大な時間を必要とすると共に人為的なミスによる確認漏れが生ずることもあった。
【０００４】
特許文献１には、継電装置や制御装置の外部表示出力の確認試験を同時に多数の表示出力される場合でも一人の試験者でも間違いなく確認することが可能な表示試験装置が記載されている。しかし、この装置は同一キャビネット内に表示装置や入力装置などを収容することによって一人でも全体を見やすくしたにすぎず、やはり確認漏れなどの問題は生ずるおそれがある。
【特許文献１】特開平５−２６４６２４号公報
【発明の開示】
【発明が解決しようとする課題】
【０００５】
本発明は上記のような従来の試験確認装置の問題点にかんがみてなされたもので、表示データが多い場合など、試験対象装置の出力が多い場合にも確実に試験結果を確認することが可能な試験装置及びその方法を提供することを目的とする。
【課題を解決するための手段】
【０００６】
本発明の請求項１によれば、試験データを試験対象装置に入力して出力されるデータの表示装置に表示される状態を検知する試験装置であって、期待される表示結果である期待表示状態を示すデータを設定する期待結果設定手段と、前記試験対象装置の出力の表示データを取り込む表示データ取込手段と、この表示データ取込手段により取り込まれた表示データと前記期待結果表示設定手段により設定されたデータを比較し前記試験対象装置が正常であるか否かを判定する比較判定手段と、この比較判定手段により判定された結果を表示する結果表示手段と、を有することを特徴とする試験装置を提供する。
【発明の効果】
【０００７】
本発明によれば、表示データが多い場合など、試験対象装置の出力が多い場合や肉眼では判断を誤りやすい微妙な色の違いがある場合にも確実に試験結果を確認することが可能な試験装置及びその方法が得られる。
【発明を実施するための最良の形態】
【０００８】
以下、本発明の実施形態について図面を用いて説明する。この実施形態は、試験対象装置１１が正常のとき表示装置１３の画面上に項目Ａとして「ａａａａａ」が黒で表示され、項目Ｂとして「ｂｂｂｂ」が黒で表示される場合の例である。
【０００９】
図１にこの本発明一実施形態を含む全体構成例を示す。試験の対象となる試験対象装置１１はこの場合には航空機飛行状態表示装置であり、この試験対象装置１１に試験データ１２が入力され、その出力が表示装置１３の画面上に表示される。
【００１０】
試験対象装置１１の出力に本発明一実施形態の表示試験装置１４が接続される。この表示試験装置１４は、試験対象装置１１の出力を入力とする表示データ取込部１５と、期待される表示結果１６を入力され、期待される結果、すなわち正常の場合に表示装置１３に表示される表示に対応するデータを設定する期待結果表示設定部１７と、この期待結果表示設定部１７のデータと表示データ取込部１５に取り込まれた、試験対象装置１１の出力の表示対応データとを比較し、正常かどうか判定する比較判定部１８と、その結果を表示する結果表示部１９と、必要に応じてその結果を印刷する結果印刷部２０とから成る。
【００１１】
この試験対象装置１１は、例えば１台のコンピュータにより構成され、あるいはネットワークを介したコンピュータシステムにより構成される。
【００１２】
次にこの実施形態につき、図２に示すフローチャートに基づいて動作を説明する。まず、ステップＳ２０１において、予め、期待結果表示設定部１７に期待される表示結果を入力して、試験対象装置１１が正常のとき、どのような出力がなされ表示装置１３の画面上に表示されるか、例えばどのようなデータがどのような色で表示されるかを入力する。
【００１３】
例えば、試験対象装置１１が正常のとき、項目Ａとして「ａａａａａ」の表示が黒でなされ、項目Ｂに「ｂｂｂｂ」の表示が黒でなされる場合について述べる。このような場合、期待結果表示設定装置１７の設定画面で、図３に示すように項目Ａとして「ａａａａａ」を黒として入力し表示させる。また項目Ｂとして「ｂｂｂｂ」と黒で入力し表示させる。この後、画面上でＯＫボタン３３をクリックし、画面を閉じる。すると、このときのデータが図４に示されるように構成される。即ち、「テスト画面」で項目Ａの内容として「ａａａａａ」の内容が黒で表示され、項目Ｂの内容として「ｂｂｂｂ」が黒で表示されることがデータとして保持される。
【００１４】
ステップＳ２０２において上述のような試験データが期待結果表示設定部１７に取り込まれ、ステップＳ２０３において試験対象装置１１から結果が出力されることを待つ。
【００１５】
試験対象装置１１から結果が出力されたら、次のステップＳ２０４で試験対象装置１１の出力を表示データ取込部１５に取り込む。
【００１６】
ステップＳ２０５では、比較判定部１８において、表示データ取込部１５に取り込まれた試験対象装置１１の結果のデータと、期待表示設定部１７に予め設定されたデータが比較される。両データが一致していれば、試験対象装置１１は正常動作する装置と判断されステップＳ２０６で結果表示部１９の画面上に、その旨表示される。
【００１７】
操作者が、その結果を印刷したい場合には次のステップＳ２０７で、印刷することを結果表示部１９に指示することにより、その結果を結果印刷部２０で印刷し出力して終了する。
【００１８】
一方、ステップＳ２０６において、結果を印刷することを希望しない場合にはその旨を指示することによりこれで一連動作を終了する。
【００１９】
以上説明したように本発明のこの実施形態によれば、試験対象装置１１が正常に作動し、表示装置１３の画面上に、項目Ａに対して「ａａａａａ」が黒で表示され、項目Ｂに対して「ｂｂｂｂ」が黒で表示されるかどうかを人間が肉眼で見ることなく、判断することが可能となる利点がある。
【００２０】
本発明は上記実施形態に限定されるものではなく、例えば表示装置の画面上に航空機の現在位置を点で、そして飛行状態をその点の色で表示するような飛行状態表示管制装置の出荷前試験などにも適用可能である。このような装置では、各航空機が例えば色によりその種別などを表すことがあるが、その点の位置でクリックすることにより表示色を取り込んで、その種別を判別するような場合にも本発明を用いることができる。
【００２１】
また本発明は、試験対象装置の表示だけでなく、一般に出力される結果の値などを期待される値と比較することによりその正常か否かを判定する試験装置にも適用することができる。
【００２２】
本発明は上記実施形態に限定されるものではなく、本発明の技術思想の範囲内で種々変形して実施可能である。
【図面の簡単な説明】
【００２３】
【図１】本発明一実施形態の試験表示装置を含む全体構成を示す図。
【図２】本発明一実施形態の動作を説明するためのフローチャートを示す図。
【図３】本発明一実施形態において期待結果の表示入力を行う画面例を示す図。
【図４】図３に示す入力により作成されるプログラム例を示す図。
【符号の説明】
【００２４】
１１・・・試験対象装置、
１２・・・試験データ、
１３・・・表示装置、
１４・・・試験表示装置、
１５・・・表示データ取込部、
１６・・・期待される表示結果、
１７・・・期待結果表示設定部、
１８・・・比較判定部、
１９・・・結果表示装置、
２０・・・結果印刷部、
３３・・・ＯＫボタン。
【図１】
2008070252.tif 000003
【図２】
2008070252.tif 000004
【図３】
2008070252.tif 000005
【図４】
2008070252.tif 000006